(57)【要約】      （修正有）【課題】マルチレベルの保護が可能で、使用電子部品が少ない多機能の充電器出力保護装置を提供する。【解決手段】充電器の出力側に接続する出力保護装置は、電子スイッチのＭＯＳＦＥＴ１と、ＭＯＳＦＥＴのゲートに接続するレベル変換信号側と、第一コンデンサ３１を通じて、ＭＯＳＦＥＴのゲートに接続する電源出力Ｖ＋側と、ＭＯＳＦＥＴのソースに接続する電源ＧＮＤと、ＭＯＳＦＥＴのドレインに接続する電源出力Ｖ−側とを備え、電源出力Ｖ＋側と電源ＧＮＤはそれぞれ充電器の出力側プラス極とマイナス極に、レベル変換信号側は充電器の充電ステータス信号の出力側に、電源出力Ｖ＋側とＶ−側はそれぞれ、バッテリーのプラス極とマイナス極に接続し、出力保護装置は更に、電源出力Ｖ＋側とＶ−側がそれぞれバッテリーのプラス極とマイナス極に接続されてから、駆動されオンとなるＭＯＳＦＥＴの三極管起動ユニットを備える。【選択図】図１
0003227594.tif 000002
【実用新案登録請求の範囲】
【請求項１】
充電器の出力側に接続する出力保護装置（１００）は、
電子スイッチとされるＭＯＳＦＥＴ（１）と、
前記ＭＯＳＦＥＴ（１）の的ゲートに接続するレベル変換信号側（２）と、
第一コンデンサ（３１）を通じて、前記ＭＯＳＦＥＴ（１）のゲートに接続する電源出力Ｖ＋側（３）と、前記ＭＯＳＦＥＴ（１）のソースに接続する電源ＧＮＤ（４）と、
前記ＭＯＳＦＥＴ（１）のドレインに接続する電源出力Ｖ−側（５）と
を備えてなり、
前記電源出力Ｖ＋側（３）と電源ＧＮＤ（４）はそれぞれ充電器の出力側プラス極とマイナス極に、前記レベル変換信号側（２）は充電器の充電ステータス信号の出力側に接続し、前記電源出力Ｖ＋側（３）と電源出力Ｖ−側（５）はそれぞれ、バッテリー（６）のプラス極とマイナス極に接続し、前記出力保護装置（１００）は更に、電源出力Ｖ＋側（３）と電源出力Ｖ−側（５）がそれぞれバッテリー（６）のプラス極とマイナス極に接続されてから、駆動されオンとなるＭＯＳＦＥＴ（１）の三極管起動ユニット（７）を備えてなる、
ことを特徴とする充電器の出力保護装置。
【請求項２】
電源出力Ｖ＋側（３）とが電源出力Ｖ−側（５）がバッテリー（６）に接続せず、電源をオンにした場合は、レベル変換信号側（２）が低電位となり、三極管起動ユニット（７）が動作せず、電源出力Ｖ＋側（３）の電圧が第一コンデンサ（３１）にかかると、ＭＯＳＦＥＴ（１）のゲート電圧が瞬間的に２．５Ｖを上回って、ＭＯＳＦＥＴ（１）が瞬間的に導通するが、レベル変換信号側（２）では低電位に保ったままで、ＭＯＳＦＥＴ（１）のゲート電圧を素早く下げ、低電位のままにして、ＭＯＳＦＥＴ（１）をオフするように設けられ、そこで、前記電源出力Ｖ＋側（３）と電源出力Ｖ−側（５）からの出力がなく、無負荷保護の目的を達成すること、バッテリーを逆接続してから、電源をオンにした場合は、電源出力Ｖ＋側（３）の電圧が第一コンデンサ（３１）にかかると、ＭＯＳＦＥＴ（１）のゲート電圧が瞬間的に２．５Ｖを上回って、ＭＯＳＦＥＴ（１）が瞬間的に導通するが、レベル変換信号側（２）が低電位に保ったままで、ＭＯＳＦＥＴ（１）のゲート電圧を素早く下げ、低電位のままにし、ＭＯＳＦＥＴ（１）をオフにするように設けられ、バッテリー逆接続に、三極管起動ユニット（７）が動作せず、前記ＭＯＳＦＥＴ（１）がオフのままで、前記電源出力Ｖ＋側（３）と電源出力Ｖ−側（５）の出力がなく、逆接続保護の保護を達成すること、バッテリー（６）を正接続したとき、バッテリー（６）の電圧で、三極管起動ユニット（７）を動作させるように駆動するが、前記三極管起動ユニット（７）により、ＭＯＳＦＥＴ（１）のゲート電圧が２．５Ｖを上回って、ＭＯＳＦＥＴ（１）が導通し、バッテリーへの充電を行い、充電器から高電位レベル変換信号がレベル変換信号側（２）へ出力され、レベル変換信号側（２）を高電位にし、ＭＯＳＦＥＴ（１）のゲート電圧を２．５Ｖ以上にして、充電器からバッテリーへの充電を続けるように設けられ、バッテリーがフル充電になると、充電器から低電位レベル変換信号がレベル変換信号側（２）へ出力され、レベル変換信号側（２）を低電位にして、ＭＯＳＦＥＴ（１）のゲート電圧を下げ、ＭＯＳＦＥＴ（１）をオフにして、出力をカットオフし、満充電カットオフの目的を達成するように設けられることを特徴とする請求項１に記載の充電器の出力保護装置。
【請求項３】
前記三極管起動ユニット（７）は、三極管（７１）と、三極管（７１）のｂ極に接続する抵抗Ｒ２とコンデンサＣ２と、三極管（７１）のｅ極に接続する抵抗Ｒ１と、コンデンサＣ２を放電させるための抵抗Ｒ５とを備えてなり、前記抵抗Ｒ１と抵抗Ｒ２とはどれも前記電源出力Ｖ＋側（３）に、前記三極管（７１）のｃ極は前記ＭＯＳＦＥＴ（１）のゲートに、前記コンデンサＣ２はＭＯＳＦＥＴ（１）のドレインと電源出力Ｖ−側（５）とに接続していることを特徴とする請求項１に記載の充電器の出力保護装置。
【請求項４】
前記ＭＯＳＦＥＴ（１）のゲートとソースとの間には、電圧レギュレータ（１１）が接続していることを特徴とする請求項３に記載の充電器の出力保護装置。
【請求項５】
前記電圧レギュレータ（１１）の両側には更に、抵抗Ｒ３が並列接続していることを特徴とする請求項４に記載の充電器の出力保護装置。
【請求項６】
前記抵抗Ｒ２の抵抗値は、抵抗Ｒ１の抵抗値の２８倍になることを特徴とする請求項３に記載の充電器の出力保護装置。
【請求項７】
前記ＭＯＳＦＥＴ（１）のゲートとレベル変換信号側（２）との間には更に、ダイオードＤ１が接続していることを特徴とする請求項１から請求項６の中のいずれか１項に記載の充電器の出力保護装置。
【請求項８】
前記ＭＯＳＦＥＴ（１）の型番は、ＮＣＥＰ０１Ｔ１３であることを特徴とする請求項１から請求項６の中のいずれか１項に記載の充電器の出力保護装置。
【請求項９】
前記三極管（７１）の型番は、２Ｎ５４０１であることを特徴とする請求項３に記載の充電器の出力保護装置。
【請求項１０】
充電器の出力側に接続する出力保護装置（１００）は、
電子スイッチとされるＭＯＳＦＥＴ（１）と、
電源出力Ｖ＋側（３），と、
前記ＭＯＳＦＥＴ（１）のゲートに接続するレベル変換信号側（２）と、
第一コンデンサ（３１）を通じて、前記ＭＯＳＦＥＴ（１）のゲートに接続するＶＣＣ（８）と、
前記ＭＯＳＦＥＴ（１）のソースに接続する電源ＧＮＤ（４）と、
前記ＭＯＳＦＥＴ（１）のドレインに接続する電源出力Ｖ−側（５）と
を備えてなり、
前記電源出力Ｖ＋側（３）と電源ＧＮＤ（４）はそれぞれ充電器の出力側プラス極とマイナス極に、前記レベル変換信号側（２）は充電器の充電ステータス信号の出力側に、前記ＶＣＣ（８）は充電器のＶＣＣに接続し、前記電源出力Ｖ＋側（３）と電源出力Ｖ−側（５）はそれぞれ、バッテリー（６）のプラス極とマイナス極に接続し、前記出力保護装置（１００）は更に、電源出力Ｖ＋側（３）と電源出力Ｖ−側（５）がそれぞれバッテリー（６）のプラス極とマイナス極に接続されてから、駆動されオンとなるＭＯＳＦＥＴ（１）の三極管起動ユニット（７）を備えてなる、
ことを特徴とする充電器の出力保護装置。
【考案の詳細な説明】
【技術分野】
【０００１】
本考案は、充電器の付属品に関わり、特に充電器の出力保護装置に関する。
【背景技術】
【０００２】
各種の電子製品を充電するのに用いられる充電器が広く使用され、電子製品の使用に欠かせない装置である。現在の充電器は、バッテリーの端子に逆接続した場合、充電器内の回路又はバッテリーが容易に毀損し、事故の原因になる。また、充電器は大電流が流れている場合、バッテリーへの充電を完全に遮断できるとは限らない。
【考案の概要】
【考案が解決しようとする課題】
【０００３】
それに鑑みて、本考案は、充電器の出力保護装置を提供する。
【課題を解決するための手段】
【０００４】
前記問題点を解決でき、上記目的を達成するために、本考案の実施例一の充電器の出力保護装置は、
電子スイッチとされるＭＯＳＦＥＴと、
前記ＭＯＳＦＥＴの的ゲートに接続するレベル変換信号側と、
第一コンデンサを通じて、前記ＭＯＳＦＥＴのゲートに接続する電源出力Ｖ＋側と、
前記ＭＯＳＦＥＴのソースに接続する電源ＧＮＤと、
前記ＭＯＳＦＥＴのドレインに接続する電源出力Ｖ−側と
を備えてなり、
前記電源出力Ｖ＋側と電源ＧＮＤはそれぞれ充電器の出力側プラス極とマイナス極に、前記レベル変換信号側は充電器の充電ステータス信号の出力側に接続し、前記電源出力Ｖ＋側と電源出力Ｖ−側はそれぞれ、バッテリーのプラス極とマイナス極に接続し、前記出力保護装置は更に、電源出力Ｖ＋側と電源出力Ｖ−側がそれぞれバッテリーのプラス極とマイナス極に接続されてから、駆動されオンとなるＭＯＳＦＥＴの三極管起動ユニットを備えてなる、
ことを特徴とする。
前記電源出力Ｖ＋側とが電源出力Ｖ−側がバッテリーに接続せず、電源をオンにした場合は、レベル変換信号側が低電位となり、三極管起動ユニットが動作せず、電源出力Ｖ＋側の電圧が第一コンデンサにかかると、ＭＯＳＦＥＴのゲート電圧が瞬間的に２．５Ｖを上回って、ＭＯＳＦＥＴが瞬間的に導通するが、レベル変換信号側では低電位に保ったままで、ＭＯＳＦＥＴのゲート電圧を素早く下げ、低電位のままにして、ＭＯＳＦＥＴをオフするように設けられ、そこで、前記電源出力Ｖ＋側と電源出力Ｖ−側からの出力がなく、無負荷保護の目的を達成すること、バッテリーを逆接続してから、電源をオンにした場合は、電源出力Ｖ＋側の電圧が第一コンデンサにかかると、ＭＯＳＦＥＴのゲート電圧が瞬間的に２．５Ｖを上回って、ＭＯＳＦＥＴが瞬間的に導通するが、レベル変換信号側が低電位に保ったままで、ＭＯＳＦＥＴのゲート電圧を素早く下げ、低電位のままにし、ＭＯＳＦＥＴをオフにするように設けられ、バッテリー逆接続に、三極管起動ユニットが動作せず、前記ＭＯＳＦＥＴがオフのままで、前記電源出力Ｖ＋側と電源出力Ｖ−側の出力がなく、逆接続保護の保護を達成すること、バッテリーを正接続したとき、バッテリーの電圧で、三極管起動ユニットを動作させるように駆動するが、前記三極管起動ユニットにより、ＭＯＳＦＥＴのゲート電圧が２．５Ｖを上回って、ＭＯＳＦＥＴが導通し、バッテリーへの充電を行い、充電器から高電位レベル変換信号がレベル変換信号側へ出力され、レベル変換信号側を高電位にし、ＭＯＳＦＥＴのゲート電圧を２．５Ｖ以上にして、充電器からバッテリーへの充電を続けるように設けられ、バッテリーがフル充電になると、充電器から低電位レベル変換信号がレベル変換信号側へ出力され、レベル変換信号側を低電位にして、ＭＯＳＦＥＴのゲート電圧を下げ、ＭＯＳＦＥＴをオフにして、出力をカットオフし、満充電カットオフの目的を達成するように設けられることが好ましい。
前記三極管起動ユニットは、三極管と、三極管のｂ極に接続する抵抗Ｒ２とコンデンサＣ２と、三極管のｅ極に接続する抵抗Ｒ１と、コンデンサＣ２を放電させるための抵抗Ｒ５とを備えてなり、前記抵抗Ｒ１と抵抗Ｒ２とはどれも前記電源出力Ｖ＋側に、前記三極管のｃ極は前記ＭＯＳＦＥＴのゲートに、前記コンデンサＣ２はＭＯＳＦＥＴのドレインと電源出力Ｖ−側とに接続していることが好ましい。
前記ＭＯＳＦＥのゲートとソースとの間には、電圧レギュレータが接続していることが好ましい。
前記電圧レギュレータの両側には更に、抵抗Ｒ３が並列接続していることが好ましい。
前記抵抗Ｒ２の抵抗値は、抵抗Ｒ１の抵抗値の２８倍になることが好ましい。
前記ＭＯＳＦＥＴのゲートとレベル変換信号側との間には更に、ダイオードＤ１が接続していることが好ましい。
前記ＭＯＳＦＥＴの型番は、ＮＣＥＰ０１Ｔ１３であることが好ましい。
前記三極管の型番は、２Ｎ５４０１であることが好ましい。
【０００５】
前記問題点を解決でき、上記目的を達成するために、本考案の実施例二の充電器の出力側に接続する前記出力保護装置は、
電子スイッチとされるＭＯＳＦＥＴと、
電源出力Ｖ＋側と、
前記ＭＯＳＦＥＴのゲートに接続するレベル変換信号側と、
第一コンデンサを通じて、前記ＭＯＳＦＥＴのゲートに接続するＶＣＣと、
前記ＭＯＳＦＥＴのソースに接続する電源ＧＮＤと、
前記ＭＯＳＦＥＴのドレインに接続する電源出力Ｖ−側と
を備えてなり、
前記電源出力Ｖ＋側と電源ＧＮＤはそれぞれ充電器の出力側プラス極とマイナス極に、前記レベル変換信号側は充電器の充電ステータス信号の出力側に、前記ＶＣＣは充電器のＶＣＣに接続し、前記電源出力Ｖ＋側と電源出力Ｖ−側はそれぞれ、バッテリーのプラス極とマイナス極に接続し、前記出力保護装置は更に、電源出力Ｖ＋側と電源出力Ｖ−側がそれぞれバッテリーのプラス極とマイナス極に接続されてから、駆動されオンとなるＭＯＳＦＥＴの三極管起動ユニットを備えてなる、
ことを特徴とする。
【考案の効果】
【０００６】
本考案は、従来の技術に対して、次のような作用と効果がある。
本考案は、充電器から独立した小さなＰＣＢ基板に設けられ、小さなＰＣＢ基板は充電器に増設されても、１、無負荷（バッテリーに接続せず）無出力保護、２、バッテリー逆接続保護、３、充電器の赤から緑に点灯すると、充電停止する、という幾つかの保護機能を有してなり、即ち、本考案は、マルチレベル保護を実現することが可能、充電器の充電時の補助具として用いられ、各種の充電器に対応でき、使いやすいほかに、使用される電子部品が少なく、簡単に配置可能かつ多機能を実現する仕組みであるため、市場競争力が高い、本考案の電気回路は、充電器のＰＣＢ基板に集積するように設けられ、実施の使用ニーズに応じて設計することができる。
【図面の簡単な説明】
【０００７】
【図１】本考案の実施例一の電気回路図を示す。
【図２】本考案の実施例二の電気回路図を示す。
【考案を実施するための形態】
【０００８】
（実施例１）
図１に示すのは、本考案の実施例一の充電器の出力保護装置であり、充電器の出力側に接続する前記出力保護装置１００は、電子スイッチとされるＭＯＳＦＥＴ１と、前記ＭＯＳＦＥＴ１のゲートに接続するレベル変換信号側２と、第一コンデンサ３１を通じて、前記ＭＯＳＦＥＴ１のゲートに接続する電源出力Ｖ＋側３と、前記ＭＯＳＦＥＴ１のソースに接続する電源ＧＮＤ４と、前記ＭＯＳＦＥＴ１のドレインに接続する電源出力Ｖ−側５とを備えてなり、前記電源出力Ｖ＋側３と電源ＧＮＤ４はそれぞれ充電器の出力側プラス極とマイナス極に、前記レベル変換信号側２は充電器の充電ステータス信号の出力側に接続し、前記電源出力Ｖ＋側３と電源出力Ｖ−側５はそれぞれ、バッテリー６のプラス極とマイナス極に接続し、前記出力保護装置１００は更に、電源出力Ｖ＋側３と電源出力Ｖ−側５がそれぞれバッテリー６のプラス極とマイナス極に接続されてから、駆動されオンとなるＭＯＳＦＥＴ１の三極管起動ユニット７を備えている。電源スタンバイ（充電器を交流電源に接続したが、バッテリーに接続していないこと）の場合は、レベル変換信号側が低電位（０Ｖ）となり、出力電流が０．２Ａを上回った場合は、レベル変換信号側が高電位（１６Ｖ）となり、電源出力Ｖ＋側３と電源出力Ｖ−側５がバッテリー６に接続せず、電源をオンに（即ち、充電器を交流電源に接続）した場合は、レベル変換信号側２が低電位となり、三極管起動ユニット７が動作せず、電源出力Ｖ＋側３の電圧が第一コンデンサ３１にかかると、ＭＯＳＦＥＴ１のゲート電圧が瞬間的に２．５Ｖを上回って、ＭＯＳＦＥＴ１が瞬間的に導通するが、レベル変換信号側２では低電圧に保ったままで、ＭＯＳＦＥＴ１のゲート電圧を素早く下げ、低電圧のままにして、ＭＯＳＦＥＴ１をオフするように設けられ、そこで、前記電源出力Ｖ＋側３と電源出力Ｖ−側５からの出力がなく、無負荷保護の目的を達成すること、バッテリーを逆接続してから、電源（即ち、充電器を交流電源に接続した）をオンにした場合は、電源出力Ｖ＋側３の電圧が第一コンデンサ３１にかかると、ＭＯＳＦＥＴ１のゲート電圧が瞬間的に２．５Ｖを上回って、ＭＯＳＦＥＴ１が瞬間的に導通するが、レベル変換信号側２では低電位に保ったままで、ＭＯＳＦＥＴ１のゲート電圧を素早く下げ、低電位のままにして、ＭＯＳＦＥＴ１をオフするように設けられ、バッテリー逆接続に、三極管起動ユニット７が動作せず、前記ＭＯＳＦＥＴ１がオフのままで、前記電源出力Ｖ＋側３と電源出力Ｖ−側５の出力がなく、逆接続保護の目的を達成すること、バッテリー６を正接続したとき、バッテリー６の電圧で、三極管起動ユニット７を動作させるよう駆動するが、前記三極管起動ユニット７により、ＭＯＳＦＥＴ１のゲート電圧が２．５Ｖを上回って、ＭＯＳＦＥＴ１が導通し、バッテリーへの充電を行い、充電器から高電位レベル変換信号がレベル変換信号側２へ出力され、レベル変換信号側２を高電位にし、ＭＯＳＦＥＴ１のゲート電圧を２．５Ｖ以上にして、充電器からバッテリーへの充電を続けるように設けられ、バッテリーがフル充電になると、充電器から、低電位レベル変換信号がレベル変換信号側２へ出力され、レベル変換信号側２を低電位にして、ＭＯＳＦＥＴ１のゲート電圧を下げ、ＭＯＳＦＥＴ１をオフにして、出力をカットオフし、満充電カットオフの目的を達成する。
【０００９】
前記三極管起動ユニット７は、三極管７１と、三極管７１のｂ極に接続する抵抗Ｒ２とコンデンサＣ２と、三極管７１のｅ極に接続する抵抗Ｒ１と、コンデンサＣ２を放電させるための抵抗Ｒ５とを備えてなり、前記抵抗Ｒ１と抵抗Ｒ２とはどれも、前記電源出力Ｖ＋側３に、前記三極管７１のｃ極は前記ＭＯＳＦＥＴ１のゲートに、前記コンデンサＣ２はＭＯＳＦＥＴ１のドレインと電源出力Ｖ−側５に接続し、前記抵抗Ｒ２の抵抗値は抵抗Ｒ１の抵抗値の２８倍になる。電源出力Ｖ＋側３と電源出力Ｖ−側５がバッテリー６に接続せず、電源をオンにした場合、又は、バッテリーを逆接続してから電源をオンにした場合、三極管起動ユニット７の三極管７１が非導通状態となり、三極管起動ユニット７が動作しないこと、バッテリー６を正接続したとき、バッテリー６の電圧で、抵抗Ｒ２を通じて、コンデンサＣ２を充電するが、充電した瞬間、コンデンサＣ２の充電により、三極管７１のｂ極の電位が低くなり、三極管７１が導通するようになり、前記三極管起動ユニット７が動作することになるが、前記三極管７１が導通後、ＭＯＳＦＥＴ１のゲート電圧が２．５Ｖを上回って、ＭＯＳＦＥＴ１が導通するが、それに続き、前記抵抗Ｒ５を通じてコンデンサＣ２を放電して、充電器でバッテリーを正常に充電するように設けられ、バッテリーの充電を行い、充電器の充電表示ランプが赤に点灯し、充電器から、高電位レベル変換信号をレベル変換信号側２へ出力され、レベル変換信号側２を高電位にし、ＭＯＳＦＥＴ１のゲート電圧を２．５Ｖ以上にして、充電器からバッテリーへの充電を続けるように設けられ、バッテリーがフル充電になると、充電器の充電表示ランプが赤から緑に点灯し、充電器から低電位レベル変換信号がレベル変換信号側２へ出力され、レベル変換信号側２を低電位にして、ＭＯＳＦＥＴ１のゲート電圧を下げ、ＭＯＳＦＥＴ１をオンにして、出力をカットオフし、満充電カットオフの目的を達成すること。そこで、前記電源ＧＮＤ４と電源出力Ｖ−側５が遮断された状態に相当し、充電器から前記バッテリーに充電することができないように設けられ、電気回路完全遮断によるバッテリーの負荷充電を行わないことを制御し、損失低減を図ることができる。
【００１０】
前記ＭＯＳＦＥＴ１のゲートとソースとの間には、電圧レギュレータ１１が接続され、ＭＯＳＦＥＴ１のゲート電圧が２．５Ｖを上回ると、ＭＯＳＦＥＴ１は導通し、安定して動作するように設けられ、本考案の実施による信頼性が向上する。前記電圧レギュレータ１１の両側には更に、抵抗Ｒ３が並列接続している。
【００１１】
前記ＭＯＳＦＥＴ１のゲートとレベル変換信号側２との間には更に、ダイオードＤ１が接続し、前記ダイオードＤ１は、ＭＯＳＦＥＴのゲートをレベル変換信号の低電位から隔離するように設けられ、第一コンデンサ３１の容量、短絡が減少される。
【００１２】
前記ＭＯＳＦＥＴ１の型番はＮＣＥＰ０１Ｔ１３で、前記三極管７１の型番は２Ｎ５４０１である。
【００１３】
上述した内容をまとめると、本考案は、充電器から独立した小さなＰＣＢ基板に設けられ、小さなＰＣＢ基板は充電器に増設されても、１、無負荷  （バッテリーに接続せず）  無出力保護、２、バッテリー逆接続保護、３、充電器の赤から緑に点灯すると、充電停止する、という幾つかの保護機能を有してなり、即ち、本考案は、マルチレベル保護を実現することが可能、充電器の充電時の補助具として用いられ、各種の充電器に対応でき、使いやすいほかに、使用される電子部品が少なく、簡単に配置可能かつ多機能を実現する仕組みであるため、市場競争力が高い。本考案の電気回路は、充電器のＰＣＢ基板に集積するように設けられ、実施の使用ニーズに応じて設計することができる。
【００１４】
（実施例２）
図２に示すように、本実施例二では、上述した実施例一と相違するのは、出力保護装置１００は、電子スイッチとされるＭＯＳＦＥＴ１と、電源出力Ｖ＋側３と、前記ＭＯＳＦＥＴ１のゲートに接続するレベル変換信号側２と、第一コンデンサ３１を通じて前記ＭＯＳＦＥＴ１のゲートに接続するＶＣＣ８と、前記ＭＯＳＦＥＴ１のソースに接続する電源ＧＮＤ４と、前記ＭＯＳＦＥＴ１のドレインに接続する電源出力Ｖ−側５とを備えてなり、前記ＶＣＣ８は充電器のＶＣＣに、本実施例二の第一コンデンサ３１はＶＣＣ８と前記ＭＯＳＦＥＴ１のゲートとの間に接続していること。それにより、本考案の電気回路は、充電器のＰＣＢ基板に集積するように設けられた場合、第一コンデンサ３１とＶＣＣ８と前記ＭＯＳＦＥＴ１のゲートとを接続するのに、グランディングがしやすくなるというメリットがある。
【００１５】
本実施例二のその他の構造は、実施例一の他の構造と同じように設けられ、ここでそれ以上述べないことにする。
【００１６】
以上は、本考案の好適な実施例に関する説明だが、それを以って、実施範囲を制限してはならないものとし、本考案のコンセプトに一致した改造や変化などを行って、それと同等な効果を得て行われた範囲は全て、本考案の特許請求範囲に含まれるものとする。
【符号の説明】
【００１７】
１００  出力保護装置
１  ＭＯＳＦＥＴ
２  ベル変換信号側
３  電源出力Ｖ＋側
３１  第一コンデンサ
４  電源ＧＮＤ
５  電源出力Ｖ−側
６  バッテリー
７  三極管起動ユニット
７１  三極管
Ｒ１  抵抗
Ｒ２  抵抗
Ｒ３  抵抗
Ｒ５  抵抗
Ｃ２  コンデンサ
８  ＶＣＣ
１１  電圧レギュレータ
【図１】
0003227594.tif 000003
【図２】
0003227594.tif 000004